(57)【要約】【課題】  バンドの長さを調整するための従来のアジャスト技術の課題を解決しつつ、従来にない新規なバンドのアジャスト構造を提供することにある。【解決手段】  腕時計バンド１０は、その着脱のために設けられたバックル１１を構成する上箱２０の側面２１，２１に、バックル１１の開閉を制御するための開閉用プッシュボタン２５，２５を備える。また、同上箱２０の上面２２には、バンドの長さを調整するための調整用プッシュボタン２６を備える。  【選択図】  図１
0003169153.tif 000002
【実用新案登録請求の範囲】
【請求項１】
バンドの長さを調整するためのバンドのアジャスト構造であって、
バンドの着脱のために設けられたバックルを構成する上箱の側面に、バックルの開閉を制御するための開閉用操作部と、
同上箱の上面にバンドの長さを調整するための調整用操作部とを備えたことを特徴とするバンドのアジャスト構造。
【請求項２】
調整用操作部は、それに連動して作動するアジャストボックスと、アジャストボックスと係合するとともにバンドの一端と連結するアジャストレールとを上箱に備え、アジャストボックスがアジャストレールに設けられた複数の係止部のいずれかに係合することで、バンドの長さを調整可能とすることを特徴とする請求項１記載のバンドのアジャスト構造。
【請求項３】
腕時計バンドに用いられることを特徴とする請求項１又は２記載のバンドのアジャスト構造。
【考案の詳細な説明】
【技術分野】
【０００１】
本願考案は、バンドの長さを調整するためのバンドのアジャスト構造に関するものである。
【背景技術】
【０００２】
従来、時計バンドの分野においてバンド長さを調整するアジャスト構造には、以下のようなものがあった。
（１）特許文献１は、バンドの着脱のために設けられたバックルを構成する上箱の側面に、バックルの開閉を制御するための開閉用操作部（プッシュボタン  ）とバンドの長さを調整するための調整用操作部（プッシュボタン  ）とを備えたものである。
（２）特許文献２は、同上箱の側面に、バックルの開閉とバンド長さの調整とを１の操作部で兼ね備えたものである。
【先行技術文献】
【特許文献】
【０００３】
【特許文献１】ＷＯ２００２−０７４１２４号公報
【特許文献２】特開２００５−２７０２４８号公報
【考案の概要】
【考案が解決しようとする課題】
【０００４】
しかしながら、上記する従来技術には、以下のような課題があった。
（１）特許文献１は、上箱の側面に２種類の操作部が存在することになる。そのため、誤認操作のおそれがある。
（２）特許文献２は、上箱の側面に設けられた１の操作部で２種類の操作を行えることになる。そのため、操作の切換が微妙になり、煩雑な操作になる。
【０００５】
そこで、上記課題を解決しつつ、従来にない新規なアジャスト構造の提供を目的として、本願考案を完成するに至った。
【課題を解決するための手段】
【０００６】
本願考案の内容は、以下の通りである。
第１の考案は、バンドの長さを調整するためのバンドのアジャスト構造にあって、バンドの着脱のために設けられたバックルを構成する上箱の側面に、バックルの開閉を制御するための開閉用操作部と、同上箱の上面に、バンドの長さを調整するための調整用操作部とを備えたことを特徴とするものである。
第２の考案は、調整用操作部は、それに連動して作動するアジャストボックスと、アジャストボックスと係合するとともにバンドの一端と連結するアジャストレールとを上箱に備え、アジャストボックスがアジャストレールに設けられた複数の係止部のいずれかに係合することで、バンドの長さを調整可能とすることを特徴とするものである。
第３の考案は、上記バンドのアジャスト構造が腕時計バンドに用いられることを特徴とするものである。
【考案の効果】
【０００７】
本願考案によれば、以下のような効果を有する。
（１）バックルを構成する上箱の側面に開閉用操作部を、同上箱の上面にバンドの長さを調整するための調整用操作部をそれぞれ別々の箇所に備えたことで、誤認操作のおそれがなくなる。
（２）また、バックルの開閉用操作部とバンド長さの調整用操作部が一緒の操作部になっていないので、煩雑な操作を必要としない。
【図面の簡単な説明】
【０００８】
【図１】本願考案に係る腕時計バンドの平面図。
【図２】本願考案に係る腕時計バンドのバックルの分解図。
【図３】アジャストボックスとアジャストレールを示した説明図。
【図４】アジャストボックスの内部構造を示す説明図。
【考案を実施するための形態】
【０００９】
本願考案の実施形態を図面に基づいて説明する。
図１は、本願考案に係る腕時計バンド１０の平面図である。
腕時計バンド１０は、その着脱のために設けられたバックル１１を構成する上箱２０の側面２１，２１に、バックル１１の開閉を制御するための開閉用プッシュボタン２５，２５を備える。また、同上箱２０の上面２２には、バンドの長さを調整するための調整用プッシュボタン２６を備える。なお、符号１５，１５は、バンド部材である。
【００１０】
図２は、バックル１１の分解図である。
バックル１１は、上箱２０と中板３０と下板３１とからなる三折れ式プッシュバックルである。下板３１には、上箱２０と係合する係合突部３２を備える。
また、上箱２０は、断面略コ字形の外装材２３に開閉用プッシュボタン２５，２５を有する公知の中留２７を備え、下板３１の係合突部３２と係合することでバックル１１を開閉自在としている。
【００１１】
そして、上箱２０は、調整用プッシュボタン２６に連動して作動するアジャストボックス４０と、アジャストボックス４０と係合するとともにバンド部材１５の一端と連結するアジャストレール５０とを備えて、アジャストボックス４０がアジャストレール５０に設けられた係止孔５１の複数の係止部のいずれかに係合することで、バンドの長さを調整可能となっている。すなわち、調整用プッシュボタン２６の裏面には連動突部２８が設けられ、これが調整用プッシュボタン２６の操作によりアジャストボックス４０の連動孔４１に挿入されてアジャストボックス４０を作動させる。
【００１２】
図３は、アジャストボックス４０とアジャストレール５０を示した説明図である。
アジャストボックス４０は、アジャストレール５０に設けられた係止孔５１の係止部５２，５２，…のいずれかに係合可能な相反する一対の係止片４２，４２を備えている。この係止片４２と係止部５２の係合箇所によって、バンドの長さを調整する構造となっているのである。
【００１３】
そして、アジャストボックス４０は上記のように連動孔４１を備えている。この連動孔４１に調整用プッシュボタン２６の連動突部２８が挿入されることで、アジャストボックス４０から突出するように形成された一対の係止片４２，４２がスライドしながら近接し、係止部５２との係合が一時的に解除される。そして、お互いフリーとなった係止片４２と係止部５２を再び任意の箇所で係合させることで、バンド長さの調整が可能となる。
【００１４】
図４は、アジャストボックス４０の内部構造を示す説明図である。
アジャストボックス４０は、連動孔４１の位置に鉤型に交差する一対のスライド部材４３，４４を備える。このスライド部材４３，４４は、弾性部材４９によって相反するように付勢されているとともに、各々係止片４２を備えている。これによって、通常は離間している係止片４２，４２が連動孔４１への連動突部２８の挿入によって、お互いに近接するようになる。
【産業上の利用可能性】
【００１５】
本願考案は、腕時計バンドや装身具のバンドの他、ものを締結する際に用いられるバンド・ベルト類などにも幅広く利用できるものである。
【符号の説明】
【００１６】
１０  腕時計バンド    １１  バックル    １５  バンド部材
２０  上箱    ２１  側面    ２２  上面    ２３  外装材
２５  開閉用プッシュボタン    ２６  調整用プッシュボタン    ２７  中留
３０  中板    ３１  下板    ３２  係合突部
４０  アジャストボックス    ４１  連動孔    ４２  係止片
４３，４４  スライド部材
５０  アジャストレール    ５１  係止孔
【図１】
0003169153.tif 000003
【図２】
0003169153.tif 000004
【図３】
0003169153.tif 000005
【図４】
0003169153.tif 000006
【手続補正書】
【提出日】平成23年5月18日(2011.5.18)
【手続補正１】
【補正対象書類名】実用新案登録請求の範囲
【補正対象項目名】全文
【補正方法】変更
【補正の内容】
【実用新案登録請求の範囲】
【請求項１】
バンドの長さを調整するためのバンドのアジャスト構造であって、
バンドの着脱のために設けられたバックルを構成する上箱の側面に、バックルの開閉を制御するための開閉用操作部と、
同上箱の上面にバンドの長さを調整するための調整用操作部とを備え、
調整用操作部は、調整用プッシュボタンの裏面に連動突部を設けてこの連動突部が挿入される連動孔を備えることによって調整用プッシュボタンに連動して作動するアジャストボックスと、アジャストボックスと係合するとともにバンドの一端と連結するアジャストレールとを上箱に備え、アジャストボックスから突出するように形成されるとともに調整用プッシュボタンに連動する係止片がアジャストレールに設けられた複数の係止部のいずれかに係合することで、バンドの長さを調整可能とすることを特徴とするバンドのアジャスト構造。
【請求項２】
アジャストボックスは、連動孔の位置に鉤型に交差する一対のスライド部材を備えて、このスライド部材が、弾性部材によって相反するように付勢されているとともに各々係止片を備えて、通常は離間している係止片が連動孔への連動突部の挿入によって、お互いに近接するようになることを特徴とする請求項１記載のバンドのアジャスト構造。
【請求項３】
腕時計バンドに用いられることを特徴とする請求項１又は２記載のバンドのアジャスト構造。